(57)【特許請求の範囲】
【請求項１】
建物の壁を貫通して据え付けられるキャビネットに、室内熱交換器、室内ファン、室外熱交換器及び室外ファンが一体に設けられ、上記キャビネット内が上記室内熱交換器及び上記室内ファンが配置された室内側室と、上記室外熱交換器及び上記室外ファンが配置された室外側室とが仕切板により区画された空気調和装置において、
上記室外ファンが軸流ファンであり、この室外ファンの回転により上記キャビネットの後方側に配置された上記室外熱交換器の両側の室外吸込口から空気を吸い込んで上記室外熱交換器側へ吐出し、この室外ファンの吸込側に、上記室外ファンの上半相当分を前記室外ファンの回転軸方向と略直行して流れる空気の流れと、上記室外ファンの上半相当分を流れる空気とは反対方向に前記室外ファンの回転軸方向と略直行して前記室外ファンの下半相当分を流れる空気の流れと、を当該室外ファンへ案内する案内部材を設けたことを特徴とする空気調和装置。
【請求項２】
上記室外ファンの吸込側には、この室外ファンを駆動する駆動モータが支持部材により支持されて配置され、この支持部材に、吸込側の空気を上記室外ファンへ案内する案内部材が形成されたことを特徴とする請求項１に記載の空気調和装置。
【請求項３】
上記案内部材は、駆動モータを支持する支持部材に一体成形されたことを特徴とする請求項２に記載の空気調和装置。
【請求項４】
上記案内部材は、その全部または一部が、室外ファンの外周縁の範囲内に設置されたことを特徴とする請求項１乃至３のいずれかに記載の空気調和装置。
【請求項５】
上記案内部材は、室外ファンの吸込側の上記各空気の流れに対し略直交して、またはこの流れに向かう方向に傾斜して設置されたことを特徴とする請求項１乃至４のいずれかに記載の空気調和装置。
【発明の詳細な説明】
【０００１】
【発明の属する技術分野】
本発明は軸流ファン装置、並びに室内熱交換器、室内ファン、室外熱交換器及び室外ファンが一体に設けられた空気調和装置に関する。
【０００２】
【従来の技術】
空気調和装置には、室内熱交換器、室内ファン、室外熱交換器及び室外ファンが一体に設けられ、室内熱交換器及び室内ファンが配置された室内側室と、室外熱交換器及び室外ファンが配置された室外側室とが仕切板により画成された一体型の空気調和装置がある。このような空気調和装置には、特開平６−２８８６号公報に示すように、プロペラファンを室外ファンとして用いた室外ファン装置が設置されたものがある。
【０００３】
室外ファン装置は、室外側室に設置された支持脚に室外側モータが設置され、この室外側モータによりプロペラファンが回転駆動されるものである。室外側モータはプロペラファンの吸込側に配置され、プロペラファンの回転により、室外側モータの周囲の空気が、このプロペラファンに吸い込まれる。吸い込まれた空気は室外熱交換器へ吐出される。
【０００４】
【発明が解決しようとする課題】
上述のように、プロペラファンの回転により室外側モータの周囲の空気がプロペラファンに吸い込まれるが、このとき、互いに反対方向からプロペラファンへ向かう空気が衝突して、空気の流れに乱れが発生してしまう場合がある。このため、プロペラファンへ吸い込まれる空気量が減少して、プロペラファンによる送風量が低減してしまう恐れがある。
【０００５】
本発明の目的は、上述の事情を考慮してなされたものであり、ファン吐出量（送風量）を増大できる空気調和装置を提供することにある。
【０００６】
【課題を解決するための手段】
請求項１に記載の発明は、建物の壁を貫通して据え付けられるキャビネットに、室内熱交換器、室内ファン、室外熱交換器及び室外ファンが一体に設けられ、上記キャビネット内が上記室内熱交換器及び上記室内ファンが配置された室内側室と、上記室外熱交換器及び上記室外ファンが配置された室外側室とが仕切板により区画された空気調和装置において、上記室外ファンが軸流ファンであり、この室外ファンの回転により上記キャビネットの後方側に配置された上記室外熱交換器の両側の室外吸込口から空気を吸い込んで上記室外熱交換器側へ吐出し、この室外ファンの吸込側に、上記室外ファンの上半相当分を前記室外ファンの回転軸方向と略直行して流れる空気の流れと、上記室外ファンの上半相当分を流れる空気とは反対方向に前記室外ファンの回転軸方向と略直行して前記室外ファンの下半相当分を流れる空気の流れと、を当該室外ファンへ案内する案内部材を設けたことを特徴とするものである。
【０００７】
請求項２に記載の発明は、請求項１に記載の発明において、上記室外ファンの吸込側には、この室外ファンを駆動する駆動モータが支持部材により支持されて配置され、この支持部材に、吸込側の空気を上記室外ファンへ案内する案内部材が形成されたことを特徴とするものである。
【０００８】
請求項３に記載の発明は、請求項２に記載の発明において、上記案内部材は、駆動モータを支持する支持部材に一体成形されたことを特徴とするものである。
【０００９】
請求項４に記載の発明は、請求項１乃至３のいずれかに記載の発明において、上記案内部材は、その全部または一部が、室外ファンの外周縁の範囲内に設置されたことを特徴とするものである。
【００１０】
請求項５に記載の発明は、請求項１乃至４のいずれかに記載の発明において、上記案内部材は、室外ファンの吸込側の上記各空気の流れに対し略直交して、またはこの流れに向かう方向に傾斜して設置されたことを特徴とするものである。
【００１６】
請求項１、または２に記載の発明には、次の作用がある。
【００１７】
軸流ファン（室外ファン）の吸込側に、この吸込側の流体（空気）を軸流ファンへ案内する案内部材が設けられたことから、この案内部材の作用によって吸込側の流体の捕捉率が高まり、この流体をスムーズに軸流ファンに吸い込ませることができるので、軸流ファンによる吐出量を増大させることができる。
【００１８】
また、案内部材の作用によって、吸込側の流体を整流化させることができるので、軸流ファンによる流体の吸込及び吐出時の騒音を低減できる。
【００１９】
請求項３に記載の発明には、次の作用がある。
【００２０】
案内部材が、駆動モータを支持する支持部材に一体成形
されたことから、この案内部材を極めて容易に形成することができる。
【００２１】
請求項４に記載の発明には、次の作用がある。
【００２２】
案内部材の全部または一部が軸流ファン（室外ファン）の外周縁の範囲内に設置されたことから、この案内部材は、軸流ファンの吸込側の流体（空気）を当該軸流ファンへ確実に案内することができる。
【００２３】
請求項５に記載の発明には、次の作用がある。
【００２４】
案内部材が、軸流ファン（室外ファン）の吸込側の流体の流れに対し略直交して、またはこの流れに向かう方向に傾斜して設置されたことから、この案内部材によって、上記吸込側の流体（空気）を好適に捕捉して軸流ファンへ導くことができる。
【００２５】
【発明の実施の形態】
以下、本発明の実施の形態を、図面に基づき説明する。
【００２６】
図１は、本発明に係る空気調和装置の一実施の形態を示す外観斜視図である。
【００２７】
図２は、図１の空気調和装置においてキャビネットを省略して示す分解斜視図である。
【００２８】
これらの図１及び図２に示す空気調和装置１０は、建物の図示しない壁を貫通して設置され、室内熱交換器１１、室内ファンとしてのクロスフローファン１２（図３）、室外熱交換器１３、室外ファンとしてのプロペラファン１４、及び圧縮機１５等が一体に設けられる一体型の空気調和装置である。
【００２９】
上述の室内熱交換器１１、クロスフローファン１２、室外熱交換器１３、プロペラファン１４及び圧縮機１５等は、底板１６上に配置されて空気調和装置本体１７を構成し、この空気調和装置本体１７の前方側（つまり室内熱交換器１１及びクロスフローファン１２の配置側）が前パネル１８で覆われ、後方側（つまり、室外熱交換器１３、プロペラファン１４及び圧縮機１５の配置側）がキャビネット１９により覆われて構成される。前パネル１８が、建物の室内に面して位置づけられる。また、キャビネット１９は、建物の壁を貫通して据え付けられるものであり、角筒（スリーブ）形状に形成されている。
【００３０】
図２乃至図４に示すように、上記空気調和装置本体１７においては、底板１６の前後方向略中央位置に仕切板２０が立設され、この仕切板２０は、底板１６の全幅方向に亘って延在される。この仕切板２０により、空気調和装置本体１７は、室内熱交換器１１及びクロスフローファン１２等が配置された室内側室２１と、室外熱交換器１３、プロペラファン１４及び圧縮機１５等が配置された室外側室２２とに区画される。従って、空気調和装置１０の前方に配置された前パネル１８は室内側室２１を画成し、また、空気調和装置１０の後方側に配置されたキャビネット１９は、室外側室２２の周囲を画成することになる。
【００３１】
上記底板１６の室外側室２２側に室外熱交換器１３、室外ファンケーシング２３、支持脚２４及び圧縮機１５が設置される。
【００３２】
この圧縮機１５は、室外熱交換器１３、減圧装置（不図示）及び室内熱交換器１１に図示しない冷媒配管を用いて順次接続されており、これらにより冷凍サイクルが構成される。空気調和装置１０の冷房運転時に、室外熱交換器１３が凝縮器として機能し、室内熱交換器１１が蒸発器として機能する。また、空気調和装置１０の暖房運転時に、室外熱交換器１３が蒸発器として、室内熱交換器１１が凝縮器としてそれぞれ機能する。
【００３３】
上記室外ファンケーシング２３は、室外熱交換器１３に連設されると共に、内部にプロペラファン１４が配設される。このプロペラファン１４は、室外駆動モータ２５により回転駆動され、この室外駆動モータ２５が上記支持脚２４に支持される。また、上記室外側室２２は、室外ファンケーシング２３によって、室外ファンケーシング２３内側の室外吐出室２６と、室外ファンケーシング２３外側の室外吸込室２７とに区画される。
【００３４】
上記プロペラファン１４の回転により、外気は、図４の矢印Ａに示すように、室外熱交換器１３両側の室外吸込口２８Ａ、２９Ｂから室外吸込室２７内へ吸い込まれ、室外ファンケーシング２３のファン用オリフィス２９を経て室外吐出室２６内へ吐出され、室外熱交換器１３を通って室外吐出口３０から室外へ吐出される。上記室外熱交換器１３は、空気調和装置１０の冷房運転時に外気へ熱を放出し、また、暖房運転時に外気から熱を取り込む。
【００３５】
また、プロペラファン１４には、図３に示すように、各羽根の外周部に、これらの羽根を連結するスリンガリング３１が固着されている。空気調和装置１０の冷房運転時には、蒸発器として機能する室内熱交換器１１にドレン水が発生する。このドレン水は、後述のドレンパン３３に集水された後、仕切板２０の下端部に形成されたドレン開口４４を経て底板１６の貯溜部３２に貯溜される。上記スリンガリング３１は、プロペラファン１４の回転時に、貯溜部３２に溜まったドレン水を掻き上げ、このとき凝縮器として機能する室外熱交換器１３へ上記ドレン水を飛散させる。これにより、室外熱交換器１３の凝縮能力が向上する。
【００３６】
一方、上記底板１６の室内側室２１側にドレンパン３３が設置され、このドレンパン３３に室内熱交換器１１が載置される。また、前記仕切板２０は、室内側室２１側に開口を有する箱形状に形成され、この仕切板２０内に室内ファンケーシング３４が配置される。
【００３７】
この室内ファンケーシング３４は、仕切板２０の第１天面４１（後述）から湾曲してドレンパン３３に至り、このドレンパン３３の下端部に、室内熱交換器１１に隣接して電気ヒータ５５が設置される。また、湾曲する室内ファンケーシング３４の内側にクロスフローファン１２が配置される。従って、室内ファンケーシング３４は、仕切板２０とクロスフローファン１２との間に配置される。
【００３８】
クロスフローファン１２は、図４に示す室内駆動モータ３５により回転駆動され、これらのクロスフローファン１２及び室内駆動モータ３５が仕切板２０に支持される。上記室内ファンケーシング３４は、図３に示すように、室内側室２１側に室内循環室３６と外気導入室３７とを形成する。更に、室内側室２１には、図４に示すように、電装箱４５を収納する電装室４６が形成される。
【００３９】
図３に示すように、上記室内循環室３６内に、室内熱交換器１１、クロスフローファン１２、電気ヒータ５５が配置される。更に、この室内循環室３６内には、エアフィルタ３８及びスタビライザ３９が配置される。エアフィルタ３８は、前パネル１８に形成された吸込グリル４０と室内熱交換器１１との間に設置される。また、スタビライザ３９は、室内熱交換器１１の上方に設置されてクロスフローファン１２方向へ膨出して設けられる。このスタビライザ３９により、室内循環室３６内の空気が室内熱交換器１１に良好に吸い込まれ、室内熱交換器１１から良好に吐出される。前パネル１８には、この吐出空気を建物の室内へ導く吹出グリル４３が、吸込グリル４０の上方に形成されている。
【００４０】
クロスフローファン１２の回転により、図３の矢印Ｂに示すように、建物の室内の空気が吸込グリル４０から室内側室２１の室内循環室３６内に取り込まれ、この空気は、エアフィルタ３８、室内熱交換器１１、電気ヒータ５５を順次経てクロスフローファン１２に吸い込まれ、このクロスフローファン１２により吐出されて、吹出グリル４３から室内へ吹き出される。上記室内熱交換器１１は、空気調和装置１０の冷房運転時に、室内循環室３６内に取り込まれた室内空気を冷却して室内を冷房し、また、暖房運転時に上記室内空気を加熱して室内を暖房する。
【００４１】
上記外気導入室３７は、室外側室２２を経て室内側室２１の室内循環室３６内へ外気を取り込み、建物の室内へ新鮮な空気を供給可能とする換気装置４７を構成する一構成要素である。この換気装置４７は、上記外気導入室３７の他、換気開口４８、換気シャッタ４９及び換気通気部５０Ａを有して構成される。
【００４２】
前記箱形状の仕切板２０には、第１天面４１よりも下段位置に、この第１天面４１に連設して第２天面４２が形成される。この第２天面４２は、室外側室２２の周囲を画成するキャビネット１９の内側に配置される。また、図４及び図５に示すように、第２天面４２に上記換気開口４８が、第２天面４２の長手方向に複数個、同一ピッチで並設されている。
【００４３】
上記第２天面４２には、多数の細穴５１を備えた上記換気シャッタ４９が載置される。これらの細穴５１は群毎にまとめられ、これら複数の細穴群５１Ａが、換気シャッタ４９の長手方向に同一ピッチで配置される。この細穴群５１Ａのピッチは、第２天面４２の換気開口４８のピッチと略同一に設定されている。
【００４４】
また、換気シャッタ４９には両端部に、換気シャッタ４９の長手方向に延びる長孔５２が形成される。換気シャッタ４９は、この長孔５２を貫通するビス５３によって、仕切板２０の第２天面４２に、この第２天面４２及び換気シャッタ４９の長手方向にスライド自在に取り付けられる。
【００４５】
図６に示すように、換気シャッタ４９のスライドにより、換気シャッタ４９の細穴群５１Ａが換気開口４８と一致した位置で換気開口４８が全開操作され、細穴群５１Ａが換気開口４８と一致しない位置で換気開口４８が全閉操作される。また、換気シャッタ４９のスライド位置によって、換気開口４８の開度が半開、２／３開など任意の位置に調整される。この換気開口４８の開操作により、図３の矢印Ｃに示すように、室外側室２２内に流入した外気がキャビネット１９に案内されて、換気シャッタ４９の細穴５１及び第２天面４２の換気開口４８を通り、外気導入室３７内に導入される。
【００４６】
ここで、換気開口４８は、室外側室２２側へ向かって下方に傾斜して構成される。これにより、第２天面４２とキャビネット１９との間の外気の流動面積が、第２天面４２が水平の場合に比べて拡大される。また、図６に示す換気シャッタ４９の細穴５１は、換気開口４８の開口面積に比べて著しく小さな穴径に形成される。これにより、この細穴５１は、エアフィルタの機能を果たし、例えば虫等の侵入を防止する穴径に設定される。
【００４７】
前記換気通気部５０Ａは、図５に示すように、室内ファンケーシング３４の下部に切り起こし処理等により複数の通気口５０が設けられて、鎧戸形状に形成されたものである。この換気通気部５０Ａは、仕切板２０のドレン開口４４に対応する位置を除いて、室内ファンケーシング３４の長手方向に複数並設される。
【００４８】
図３に示すように、クロスフローファン１２の回転時には、室内循環室３６内におけるクロスフローファン１２の下方、つまり換気通気部５０Ａ近傍が負圧となる。このため、図３の矢印Ｃに示すように、換気シャッタ４９の細穴５１及び第２天面４２の換気開口４８を経て外気導入室３７内に導入された外気は、湾曲形状の室内ファンケーシング３４の外側を通って下方へ流動し、複数の換気通気部５０Ａの通気口５０を経て室内循環室３６内へ導かれる。この室内循環室３６内に導かれた外気は、室内熱交換器１１により空気調和された室内空気と混合して、図３の矢印Ｂに示すように、前パネル１８の吹出グリル４３から建物の室内へ導入され、この室内に新鮮な空気が供給される。
【００４９】
また、図５に示すように、換気シャッタ４９には、一端部に操作レバー５４が一体に結合されている。この操作レバー５４は、図２及び図６に示すように、室内熱交換器１１側へ延在して配設され、前パネル１８の取り外し時等に操作可能とされる。この操作レバー５４を水平方向に操作することによって、換気シャッタ４９がワイヤ等を介することなく直接スライドされ、換気開口４８の開度を全開または全閉操作する他、半開操作等のように換気開口４８の開度が任意に調整可能とされる。
【００５０】
ところで、図３及び図４に示す室外ファンとしてのプロペラファン１４は、軸流ファンの一種であり、支持部材としての支持脚２４に設置された室外駆動モータ２５により回転駆動される。これらのプロペラファン１４、支持脚２４及び室外駆動モータ２５により、軸流ファン装置としての室外ファン装置６４が構成される。また、上記支持脚２４はプロペラファン１４の吸込側、つまり室外吸込室２７内に設置される。
【００５１】
なお、前述のように、室外側室２２は室外ファンケーシング２３によって上記室外吸込室２７と室外吐出室２６とに区画され、この室外吐出室２６内にプロペラファン１４及び室外熱交換器１３が配置される。プロペラファン１４により吸い込まれた空気は、室外熱交換器１３へ吐出される。
【００５２】
上記支持脚２４は、図７及び図８に示すように、その上端部がビス５６を用いて室外ファンケーシング２３に固着され、下端部がビス５７を用いて、図３及び図４に示すように底板１６に固着される。図７及び図８に示すように、この支持脚２４には、中央にモータ取付穴５８が、上方に上通風穴５９が、下方に下通風穴６０がそれぞれ形成されている。更に、支持脚２４には、上通風穴５９、下通風穴６０にそれぞれ隣接して、案内部材としての上案内板６１、下案内板６２が形成されている。
【００５３】
これらのモータ取付穴５８、上通風穴５９、下通風穴６０、上案内板６１及び下案内板６２を含む支持脚２４は、打ち抜き加工及びプレス加工を用いて一体成形されたものである。また、上記上案内板６１、下案内板６２はそれぞれ上通風穴５９、下通風穴６０に隣接する位置のうちで、室外ファンケーシング２３及びプロペラファン１４の背面側を流れ、支持脚２４の外側を流れる空気の下流側（上案内板６１の場合には、図９に示す後述の矢印Ａ１の如く流れる空気の下流側（左側）、下案内板６２の場合には、図９に示す後述の矢印Ａ２の如く流れる空気の下流側（右側））に配置される。
【００５４】
上記モータ取付穴５８内に室外駆動モータ２５の一部が挿入され、この室外駆動モータ２５がビス６３により支持脚２４に固着されて、室外駆動モータ２５が支持脚２４に取り付けられ支持される。
【００５５】
上記上通風穴５９及び下通風穴６０は、室外吸込室２７内における支持脚２４の外側の空気をプロペラファン１４へ導く穴である。また、上記上案内板６１、下案内板６２は、図７及び図９に示すように、室外吸込室２７内における支持脚２４の外側を流れる空気を拾い集め、それぞれ上通風穴５９、下通風穴６０を経てプロペラファン１４へ案内する第一の機能と、後述の第２の機能とを有する。
【００５６】
つまり、プロペラファン１４の背面側から目視したときに、そのプロペラファン１４が右方向（図７及び図９の矢印α方向）に回転することによって室外吸込室２７内の空気を吸い込み、図４の矢印Ａに示すように室外熱交換器１３へ空気を吐出している場合、図４の右側の室外吸込口２８Ａから吸い込まれた空気は、図７及び図９の矢印Ａ１に示すように、室外ファンケーシング２３及びプロペラファン１４の背面側において、主にプロペラファン１４の上半相当部分を流れ、一部が室外ファンケーシング２３のファン用オリフィス２９を経てプロペラファン１４に直接吸い込まれ、残りが支持脚２４の外側を通り、上案内板６１の内面６１Ａにより拾い集められて、上通風穴５９を経てプロペラファン１４に吸い込まれる（上案内板６１の第一の機能）。また、図４の左側の室外吸込口２８Ｂから吸い込まれた空気は、図７及び図９の矢印Ａ２に示すように、室外ファンケーシング２３及びプロペラファン１４の背面側において、主にプロペラファン１４の下半相当部分を流れ、一部が室外ファンケーシング２３のファン用オリフィス２９を経てプロペラファン１４に直接吸い込まれ、残りが支持脚２４の外側を通り、下案内板６２の内面６２Ａにより拾い集められて、下通風穴６０を経てプロペラファン１４に吸い込まれる（下案内板６２の第一の機能）。
【００５７】
これらの上案内板６１及び下案内板６２の第一の機能により、室外ファンケーシング２３及びプロペラファン１４の背面側を流れる空気のプロペラファン１４による捕捉率が高まって、プロペラファン１４を回転駆動させる室外駆動モータ２５への入力電気エネルギーが同一であっても、プロペラファン１４による送風量が、上案内板６１及び下案内板６２が存在しない場合に比べ、例えば５％程度増大される。
【００５８】
更に、図４の右側の室外吸込口２８Ａから吸い込まれた空気の一部分は、図９の矢印Ａ３に示すように、室外ファンケーシング２３及びプロペラファン１４の背面側において、プロペラファン１４の下半相当部分を流れる場合があるが、このように流れる空気は、下案内板６２の外面６２Ｂに衝突して、上記矢印Ａ２の如く流れる空気との衝突が抑制される（下案内板６２の第二の機能）。
【００５９】
また、図４の左側の室外吸込口２８Ｂから吸い込まれた空気の一部分は、図９の矢印Ａ４に示すように、室外ファンケーシング２３及びプロペラファン１４の背面側において、プロペラファン１４の上半相当部分を流れる場合があるが、このように流れる空気は、上案内板６１の外面６１Ｂに衝突して、上記矢印Ａ１の如く流れる空気との衝突が抑制される（上案内板６１の第二の機能）。
【００６０】
これら上案内板６１及び下案内板６２の第二の機能によって、支持脚２４の外側を流れる空気の乱れが低減され、空気の流れが整流化されて、プロペラファン１４による空気の吸込及び吐出騒音（送風騒音）が軽減される。
【００６１】
上記上案内板６１及び下案内板６２は、図９に示すように、その全部または一部がプロペラファン１４の外周縁６５の範囲内に設置される。これにより、上案内板６１及び下案内板６２は、支持脚２４の外側を流れる空気を捕捉した後、この空気をプロペラファン１４へ確実に案内することが可能となる。
【００６２】
更に、上案内板６１及び下案内板６２は、支持脚２４の外側を流れる空気の流れ方向（上案内板６１の場合には矢印Ａ１の方向、下案内板６２の場合には矢印Ａ２の方向）に対し略直交して設置され、またはこの空気の流れ方向に対向する方向に傾斜して、図９の一点鎖線に示すように設置される。これにより、上案内板６１及び下案内板６２による空気の捕捉率が向上する。
【００６３】
上述のように構成されたことから、上記実施の形態によれば、次の効果▲１▼〜▲５▼を奏する。
【００６４】
▲１▼プロペラファン１４の吸込側に位置する支持脚２４に、この支持脚２４の外側を流れる空気をプロペラファン１４へ案内する上案内板６１及び下案内板６２が設けられたことから、これらの上案内板６１及び下案内板６２の作用によって、支持脚２４の外側を流れる空気の捕捉率が高まり、この空気をスムーズにプロペラファン１４に吸い込ませることができる。このため、室外駆動モータ２５に与える入力電気エネルギーが同一であっても、プロペラファン１４による送風量を、例えば５％程度増大させることができる。
【００６５】
▲２▼上案内板６１及び下案内板６２の作用によって、支持脚２４の外側を流れる空気を整流化できるので、プロペラファン１４による空気の吸込及び吐出時の騒音（送風騒音）を低減できる。
【００６６】
▲３▼上案内板６１及び下案内板６２が、室外駆動モータ２５を支持する支持脚２４に、打ち抜き加工及びプレス加工によって一体成形されたことから、これらの上案内板６１及び下案内板６２を極めて容易に形成することができる。
【００６７】
▲４▼上案内板６１及び下案内板６２の全部または一部がプロペラファン１４の外周縁６５の範囲内に設置されたことから、この上案内板６１及び下案内板６２は、プロペラファン１４の吸込側における支持脚２４外側の空気を当該プロペラファン１４へ確実に案内することができる。
【００６８】
▲５▼上案内板６１及び下案内板６２が、プロペラファン１４の吸込側における支持脚２４外側の空気の流れに対し略直交して、またはこの流れに向かう方向に傾斜して設置されたことから、これらの上案内板６１及び下案内板６２によって、吸込側の空気を好適に捕捉してプロペラファン１４へ導くことができる。
【００６９】
以上、本発明を上記実施の形態に基づいて説明したが、本発明はこれに限定されるものではない。
【００７０】
例えば、上記実施の形態で、支持脚２４に形成された上案内板６１及び下案内板６２は、図３の一点鎖線に示すように、支持脚２４からプロペラファン１４側に接近する位置まで延長して形成されてもよい。
【００７１】
また、上記実施の形態では、プロペラファン１４が図７及び図９に示す矢印α方向に回転することにより、室外ファンケーシング２３及びプロペラファン１４背面側の空気を当該プロペラファン１４に吸い込むよう構成されたものを述べたが、プロペラファン１４の羽根の角度を変更することにより、プロペラファン１４を上記矢印αと反対方向（図１０の矢印β方向）に回転させることによって、室外ファンケーシング２３及びプロペラファン１４背面側の空気を当該プロペラファン１４に吸い込むような場合にも、本発明を適用できる。この場合には、室外ファンケーシング２３及びプロペラファン１４の背面側を流れる空気の向きが矢印Ａ１、Ａ２、Ａ３、Ａ４と反対向きのそれぞれ矢印Ｂ１、Ｂ２、Ｂ３、Ｂ４となるので、図１０に示すように、上案内板６１は、上通風穴５９の右側に隣接して設置され、下案内板６２は下通風穴６０の左側に隣接して設置される。
【００７２】
更に、上記実施の形態では、軸流ファン装置は空気調和装置１０の室外ファン装置６４の場合を述べたが、プロペラファン等の軸流ファンを備えたその他の装置、例えば換気扇等に本発明を適用してもよい。
【００７３】
【発明の効果】
請求項１乃至５に記載の発明に係る空気調和装置によれば、ファン送風量を増大できる。
【図面の簡単な説明】
【図１】本発明に係る空気調和装置の一実施の形態を示す外観斜視図である。
【図２】図１の空気調和装置においてキャビネットを省略して示す分解斜視図である。
【図３】図１の空気調和装置の縦断面図である。
【図４】図１の空気調和装置においてキャビネットを省略して示す平面図である。
【図５】図２の仕切板、クロスフローファン及び換気装置等を示す分解斜視図である。
【図６】図５の換気装置等を組み付けた状態を示す図４に対応した平面図である。
【図７】図２に示す室外ファン装置を示す斜視図である。
【図８】図７の室外ファン装置を示す分解斜視図である。
【図９】図７のIX矢視図であり、空気の流れを概略して示す図である。
【図１０】プロペラファンの回転方向が図９と反対の場合における空気の流れを示す、図９に対応した図である。
【符号の説明】
１０  空気調和装置
１１  室内熱交換器
１２  クロスフローファン（室内ファン）
１３  室外熱交換器
１４  プロペラファン（室外ファン）
２０  仕切板
２１  室内側室
２２  室外側室
２４  支持脚（支持部材）
２５  室外駆動モータ
２６  室外吐出室
２７  室外吸込室
５９  上通風穴
６０  下通風穴
６１  上案内板（案内部材）
６２  下案内板（案内部材）
６４  室外ファン装置（軸流ファン装置）
【図１】
0004807815.tif 000002
【図２】
0004807815.tif 000003
【図３】
0004807815.tif 000004
【図４】
0004807815.tif 000005
【図５】
0004807815.tif 000006
【図６】
0004807815.tif 000007
【図７】
0004807815.tif 000008
【図８】
0004807815.tif 000009
【図９】
0004807815.tif 000010
【図１０】
0004807815.tif 000011